(57)【要約】      （修正有）【課題】封水式排水トラップにおいて、特別な機構・部材を追加することなく、長期間排水機器を使用しなかった場合においても、封水の蒸発を防ぎ破封が生じないようにすることができる、封水式排水トラップの破封防止用錠剤を提供する。【解決手段】封水式排水トラップの破封を防止する、液状の蒸発防止膜を生じさせる錠剤を、常温常圧下で液体であり、水に溶解及び混合することなく、大気中に蒸発しない、１よりも軽い比重を有した蒸発防止剤１ａと、該蒸発防止剤１ａを内部に封入する水溶性基材１ｂと、から構成する。また、蒸発防止剤を、常温常圧下で液体であるとともに大気中に蒸発しない食用油より構成する。また、上記蒸発防止剤を、水溶性で且つ蒸発防止剤に非溶性の膜素材で密封する。また、封水式排水トラップの破封防止用錠剤に、発泡剤を混入する。また、封水式排水トラップの破封防止用錠剤の外形を球形形状に構成する。【選択図】図４
2010248399.tif 000002
【特許請求の範囲】
【請求項１】
封水式排水トラップの封水に投入して破封を防止する封水式排水トラップの蒸発防止剤であって、
封水に投入後、比重により上昇して封水水面Ｗに拡がり、水に溶解及び混合することなく、大気中に蒸発しない、比重が１よりも軽い蒸発防止膜１ａ’を生じる蒸発防止剤１ａ、
からなる封水式排水トラップの蒸発防止剤。
【請求項２】
上記蒸発防止剤が、封水式排水トラップの封水に投入された際は流動性を備え、封水水面上に上昇した後、固体化して蒸発防止膜１ａ’となることを特徴とする、請求項１に記載の封水式排水トラップの蒸発防止剤。
【請求項３】
上記蒸発防止剤が、常温常圧下で液体であり、使用時材質変化することなくそのまま封水水面に拡がって蒸発防止膜として機能する素材から構成したことを特徴とする、請求項１に記載の封水式排水トラップの蒸発防止剤。
【請求項４】
上記蒸発防止剤が、常温常圧下で液体であるとともに大気中に蒸発しない食用油より構成されることを特徴とする、
請求項３に記載の封水式排水トラップの蒸発防止剤。
【請求項５】
封水式排水トラップの封水に投入して破封を防止する、封水式排水トラップの破封防止用錠剤であって、
上記請求項１乃至請求項４のいずれか１つに記載の蒸発防止剤１ａと、
該蒸発防止剤１ａを内部に封入した水溶性基材１ｂと、
からなる封水式排水トラップの破封防止用錠剤。
【請求項６】
上記蒸発防止剤１ａを、水溶性で且つ蒸発防止剤に非溶性の膜素材１ｃで密封した上で水溶性基材内部に封入したことを特徴とする、
請求項５に記載の封水式排水トラップの破封防止用錠剤。
【請求項７】
上記封水式排水トラップの破封防止用錠剤１に、発泡剤を混入したことを特徴とする、
請求項５又は請求項６に記載の封水式排水トラップの破封防止用錠剤。
【請求項８】
上記破封防止用錠剤１の外形を球形形状に構成したことを特徴とする、
請求項５乃至請求項７のいずれか１つに記載の封水式排水トラップの破封防止用錠剤。
【発明の詳細な説明】
【技術分野】
【０００１】
本発明は洗面台、流し台、手洗い器等の槽体の排水処理に用いられる封水式排水トラップの、封水の蒸発による破封を防止する、封水式排水トラップの蒸発防止剤及び該蒸発防止剤を用いた封水式排水トラップの破封防止用錠剤に関するものである。
【背景技術】
【０００２】
従来より、洗面台、流し台、手洗い器等、使用によって排水を生じる機器（以下このような機器を「排水機器」と呼ぶ）の排水を下水側配管に排出する排水配管の部材として、排水トラップと呼ばれる、下水側からの臭気や害虫類が屋内側に進入することを防止する排水装置が知られている。
以下に、特許文献１に記載された従来の排水トラップを、図面を参照しつつ説明する。
図１６に示した従来例の排水トラップは、管トラップ、補給水槽、からなる。
管トラップは、管体をＳ字形状に屈曲させた部材であり、上流側は排水が流入する入口側管部に、下流側は排水を下水側に排出する出口側管部に、それぞれ接続されてなる。
補給水槽は、内部に水を溜めておく部材であって、弁またはカップリングＢを備えた水管を介して後述する管トラップの封水の溢れ面よりも下方にて接続されてなり、管トラップに封水を供給する。
上記のように構成された排水トラップは、以下のように使用される。
洗面台、流し台、浴室など、入口側管部が接続されている排水機器の使用によって、入口側管部から排水が流れ込むと、排水は管トラップ内部を通過し、出口側管部から下水側に排出される。このとき、管トラップの屈曲によって管トラップ内部に排水の溜まり部分ができる。この管トラップ内に溜まった排水を封水と呼び、この封水によって管トラップ内部が水封（配管の一部が常に水で満たされ、排水に流れがない静止状態では通気などが起きない状態）され、下水側からの臭気や害虫類が屋内側に進入することを防止することができる。このような、封水によって下水側からの臭気や害虫類が屋内側に進入することを防止している排水トラップを封水式排水トラップと呼ぶ。
【０００３】
このような封水式排水トラップの問題点として、封水によって管トラップ内を水封し、下水側からの臭気や害虫類が屋内側に進入することを防いでいるため、何らかの理由で封水が失われて封水水面Ｗが降下すると、図１７に示したように管トラップ内の水封が失われ、矢印で示した経路を通じて下水側から臭気や害虫類が屋内側に進入することが可能となる「破封」と呼ばれる状態となる。封水が失われる原因は様々であるが、その一つとして、長期間排水機器を使用せず、封水に排水の供給が行われない状態が長く続いた結果、封水が蒸発して封水水面Ｗが下がり、図１７に示したような破封状態に至る場合がある。
そこでこの図１６に示した従来例では、封水が失われた場合に備え、補給水槽を設けてなり、封水水面Ｗが水管と管トラップの接続部分である補給水口より下方に来ると、弁またはカップリングＢが開放して、封水の水位が補給水口上端より上になるまで水を補給するように構成されてなる。このように構成されたため、この従来例の管トラップでは、補給水槽内の補給水が無くなるまで、封水の蒸発による破封を防ぐことができる。
【０００４】
封水式排水トラップの補給水槽の構造は、上記従来例のような管トラップに限らず、例えば図１０に示した椀逆トラップと呼ばれる封水式排水トラップや、図１３に示した椀トラップと呼ばれる封水式排水トラップにも応用することができる。
【０００５】
【特許文献１】特登３１６８９９５号公報
【発明の開示】
【発明が解決しようとする課題】
【０００６】
しかしながら、上記特許文献１の従来例には、以下に記載したような問題があった。
１．この従来例のような補給水槽を備えた構成は、排水配管の施工時に導入を選択する必要があり、後付することは困難なものであるが、屋内に設置された排水機器の場合、封水式排水トラップが備えられた排水機器の使用者にとって、封水が蒸発してしまうほど長期間にわたり排水機器を使用しないことは、使用者の長期間の出張や、排水機器を含む家屋から引っ越しして他の住人が定まるまでの空き屋状態など、極めて希な場合であり、また多くの使用者には生じないことである。このため、多くの場合には不要でコストアップに繋がるものとして導入を見送られることが多く、希に長期間排水機器を使用しない状態が生じても、後付けでこの機構を追加できないため利用することができない、という問題があった。また、逆にこの機構を導入しても、実際に使用することが無かった場合、不要な部材のために製品単価を上昇させることとなってしまう、という問題があった。
２．上記従来例には弁またはカップリングＢには封水の有無を図るセンサー類と、センサーの検知結果を受けて弁またはカップリングＢを開放する機械的機構が不可欠である（特許文献１の段落００１９、段落００２０には、「…封水用の水が例えば蒸発により減少し、補給水口の位置にまで低下するとき、…補給水口の上端の位置に再び水位が上がるまで、給水が継続するのである。…補給水槽から補給水口までの間に大気開放箇所がない限りは、補給水槽の水は落水しない。」と、水圧又は大気圧を利用して補給水槽から必要量だけ封水に給水を行い、また必要量だけ補給した後は自然に停止できるような記載があるが、実際上は補給水口の位置以上に封水水面Ｗがあったとしても、弁またはカップリングＢによって水管を閉塞しない限り、封水水面Ｗが補給水槽の水面ＷＨと同じ高さになるまで補給水槽内の補給水は管トラップの封水部分に流れ続ける。よって、特許文献１の記載にあるような機能を達成するためには、封水の有無を測るセンサー類と、センサーの検知結果を受けて弁またはカップリングＢを開閉する機械的機構が不可欠である）。このため部材の構成が複雑化し、機器の単価が増すと共に故障などが起こりやすくなる。
３．特許文献１の従来例のように高低差を利用して封水に補給水槽の補給水を供給するためには、封水水面Ｗより補給水槽内の水の水面ＷＨを高くしなければならないから、補給水槽の少なくとも一部を封水水面Ｗより高い位置に配置する必要があり、その分全体が大きく（少なくとも上下方向には大きく）なる。ところが、洗面台、流し台等では封水式排水トラップが配置されるキャビネット内の収納性能を向上させるため、また浴室の床下配管に採用される封水式排水トラップでは床下空間をなるべく上下に狭くし、その分居住空間を広くする、いわゆる「低床配管」のため、排水トラップはなるべくコンパクトに構成されることが要望されている。特許文献１の従来例のような補給水槽を用いた方法は、上記のようなコンパクト化の要望に逆行するものであり、導入ができなくなる場合が多い。
本発明は、上記の課題に鑑みて成されたものであり、その目的とする処は、封水式排水トラップにおいて、特別な機構・部材を追加することなく、長期間排水機器を使用しなかった場合においても、封水の蒸発を防ぎ破封が生じないようにすることができる、封水式排水トラップの破封防止用錠剤に関するものである。
【課題を解決するための手段】
【０００７】
請求項１に記載の内容は、封水式排水トラップの封水に投入して破封を防止する封水式排水トラップの蒸発防止剤であって、封水に投入後、比重により上昇して封水水面に拡がり、水に溶解及び混合することなく、大気中に蒸発しない、比重が１よりも軽い蒸発防止膜１ａ’を生じる蒸発防止剤１ａ、からなる封水式排水トラップの蒸発防止剤である。
【０００８】
請求項２に記載の内容は、上記蒸発防止剤１ａが、封水式排水トラップの封水に投入された際は流動性を備え、封水水面Ｗ上に上昇した後、固体化して蒸発防止膜１ａ’となることを特徴とする、段落０００７に記載の封水式排水トラップの蒸発防止剤である。
【０００９】
請求項３に記載の内容は、上記蒸発防止剤１ａが、常温常圧下で液体であり、使用時材質変化することなくそのまま封水水面Ｗに拡がって蒸発防止膜１ａ’として機能する素材から構成したことを特徴とする、段落０００７に記載の封水式排水トラップの蒸発防止剤である。尚、ここでいう「常温常圧下」とは人が日常生活において接する大気の温度・圧力であり、温度はおよそ摂氏０度乃至摂氏３０度前後、圧力はおよそ１気圧前後を指し示すものである。
【００１０】
請求項４に記載の内容は、上記蒸発防止剤１ａが、常温常圧下で液体であるとともに大気中に蒸発しない食用油より構成されることを特徴とする、段落０００９に記載の封水式排水トラップの蒸発防止剤である。尚、ここでいう「常温常圧下」とは人が日常生活において接する大気の温度・圧力であり、温度はおよそ摂氏０度乃至摂氏３０度前後、圧力はおよそ１気圧前後を指し示すものである。
【００１１】
請求項５に記載の内容は、封水式排水トラップの封水に投入して破封を防止する、封水式排水トラップの破封防止用錠剤であって、
上記段落０００７乃至段落００１０のいずれか１つに記載の蒸発防止剤１ａと、該蒸発防止剤１ａを内部に封入した水溶性基材１ｂと、からなる封水式排水トラップの破封防止用錠剤である。
【００１２】
請求項６に記載の内容は、上記蒸発防止剤１ａを、水溶性で且つ蒸発防止剤１ａに非溶性の膜素材１ｃで密封した上で水溶性基材１ｂ内部に封入したことを特徴とする、段落００１１に記載の封水式排水トラップの破封防止用錠剤である。
【００１３】
請求項７に記載の内容は、上記封水式排水トラップの破封防止用錠剤１に、発泡剤を混入したことを特徴とする、段落００１１又は段落００１２に記載の封水式排水トラップの破封防止用錠剤である。
【００１４】
請求項８に記載の内容は、破封防止用錠剤１の外形を球形形状に構成したことを特徴とする、段落００１１乃至段落００１３のいずれか１つに記載の封水式排水トラップの破封防止用錠剤である。
【発明の効果】
【００１５】
本発明の封水式排水トラップの蒸発防止剤及び該蒸発防止剤を用いた破封防止用錠剤は、以下の効果を奏する。
１．請求項１に記載の本発明は、蒸発防止剤によって、封水水面に拡がる、水に溶解及び混合することなく、大気中に蒸発しない、比重が１よりも軽い蒸発防止膜を、封水式排水トラップの封水水面に形成することで、排水機器を長期間使用しなくとも、封水式排水トラップの封水の破封を防止／破封しにくくすることができる。これは、長期出張・引っ越しなど、長期間排水機器を使用しない状況が生じるときに初めて蒸発防止剤を用意し、使用するだけで済むため、事前の設備投資や準備が不要で、またこの機能が不要な場合には、不要な部材構成を追加して部材費用が高くなるという事が無い。また、封水式排水トラップ自体は従来のものをそのまま使用できるため、封水式排水トラップの機構が複雑化することはない。また、封水式排水トラップ自体は従来のものをそのまま使用できるため、少なくとも従来の封水式排水トラップより大型化する必要はなく、排水トラップのコンパクト化の要望にも応じることができる。
２．請求項２に記載の本発明は、上記蒸発防止膜が、蒸発防止剤を封水に投入し、封水水面上に上昇した後、固体化するように構成したことによって形成されるようにしたことで、液体等の状態の蒸発防止膜に比べ密閉性が向上し、封水の蒸発防止の機能を向上させることができる。但し、このような蒸発防止膜においては、排水機器を再使用する場合に、固体化した蒸発防止膜を砕くなどする必要がある。
３．請求項３に記載の本発明は、上記蒸発防止剤が、常温常圧下で液体であり、使用時材質変化することなくそのまま封水水面に拡がって蒸発防止膜として機能する素材から構成することで、排水機器を再度使用開始する際に、そのまま排水機器を使用し、排水を流すだけで済み、特に特別な作業を行う必要が無い。
４．請求項４に記載の本発明は、蒸発防止剤／蒸発防止膜をサラダ油など一般的な食用油より構成してなる。蒸発防止膜に特殊な有機溶媒等を使用すると、封水の蒸発を防ぐことはできても、長期間蒸発防止膜に接することにより、封水式排水トラップの素材が蒸発防止膜の成分により浸食され、材質劣化し破損する「ケミカルクラック（化学的な原因により生じる亀裂・破損）」と呼ばれる現象が生じることがある。しかし、食用油は日常的に使用され排水機器の排水口から投入されて排水配管や排水トラップの内部を通過し、場合によっては内部に止まることが想定される物質であるため、排水トラップは食用油に対して耐性を持つ素材で設計・製造されるものであり、請求項４に記載の発明のように、蒸発防止剤／蒸発防止膜として食用油を使用する場合には長期間排水トラップが蒸発防止膜に接していても「ケミカルクラック」現象が生じることは無い。
５．請求項５に記載の発明では、蒸発防止剤を水溶性基材内に密封することで、上記蒸発防止剤を、蒸発防止剤がこぼれたり散らばったりする心配の無い、利用が容易で携帯性の高い状態で使用することができる。
６．請求項６に記載の発明では、蒸発防止剤の密閉性を高めることができる。
７．請求項７に記載の構成では、封水式排水トラップの破封防止用錠剤に、発泡剤を混入することで、蒸発防止剤が封水中で四方に散乱する。このため、蒸発防止剤が排水口に近い上流側の封水水面のみではなく、下流側の封水水面にも広がり、封水の蒸発防止効果を高めることができる。
８．請求項８に記載の構成では、封水式排水トラップの破封防止用錠剤を球形形状に構成してなる。排水配管の排水口から封水式排水トラップの封水部までの経路は、配管の関係から曲面や折れ曲がりを備えるなど複雑な形状をなす場合があるが、球形形状の錠剤は配管形状が多少複雑であっても支障無く排水用の勾配に従って落下し、排水トラップの封水までたどり着く。また、請求項７に記載のように、発泡剤を水溶性基材に混入した場合、発泡による蒸発防止剤の四散のみならず、球形形状の蒸発防止剤自体が発泡の際の泡の勢いによって封水内をまんべんなく転がることで、蒸発防止剤が上流側の封水水面のみではなく、下流側の封水水面にも広がり、封水の蒸発防止効果を高めることができる。
【図面の簡単な説明】
【００１６】
【図１】本発明の第一実施例の使用状態を示す断面図である。
【図２】本発明の第一実施例の使用状態を示す断面図である。
【図３】本発明の第二実施例の破封防止用錠剤の断面図である。
【図４】本発明の第二実施例の破封防止用錠剤の一部を切り欠きした斜視図である。
【図５】管トラップを示す断面図である。
【図６】図５の管トラップに破封防止用錠剤を投入した状態を示す断面図である。
【図７】図５の管トラップの封水水面に蒸発防止膜が生じた状態を示す断面図である。
【図８】本発明の第三実施例の破封防止用錠剤の断面図である。
【図９】本発明の第三実施例の破封防止用錠剤の一部を切り欠きした斜視図である。
【図１０】逆椀式排水トラップを示す断面図である。
【図１１】図１０の排水トラップに破封防止用錠剤を投入した状態を示す断面図である。
【図１２】図１０の排水トラップの封水水面に蒸発防止膜が生じた状態を示す断面図である。
【図１３】椀式排水トラップを示す断面図である。
【図１４】図１３の排水トラップに破封防止用錠剤を投入した状態を示す断面図である。
【図１５】図１３の排水トラップの封水水面に蒸発防止膜が生じた状態を示す断面図である。
【図１６】従来の管トラップを示す断面図である。
【図１７】従来の管トラップの破封状態を示す断面図である。
【実施例】
【００１７】
以下に本発明の第一実施例を説明する。
本第一実施例の蒸発防止剤１ａは、比重が１よりも軽いパラフィン・ワックス（一般的なロウソクのろうの主成分）をエーテル化合物（例えばジエチルエーテル）に溶解させて液化し、流動性を持たせたものである。通常はこの液状の蒸発防止剤１ａは容器内にて密閉状態に保存しておき、使用する際、図１に示したように容器から洗面台など排水機器Ｄの排水口３に投入する。すると封水内に投入された蒸発防止剤１ａは、比重が１よりも軽いことから封水水面Ｗに上昇した後、構成成分のうちエーテル化合物は大気中に気化・蒸発する。結果、エーテル化合物には溶けるが水には不溶なパラフィン・ワックスは、エーテル化合物が蒸発して失われたことで封水水面Ｗに析出して、水に溶解及び混合することなく、大気中に蒸発しない、比重が１よりも軽い蒸発防止膜１ａ’となり、封水が直接大気に接するのを防止して封水の蒸発を防ぎ、破封を防止／発生を低減する。
【００１８】
上記のように構成された第一実施例の封水式排水トラップの蒸発防止剤１ａは、以下のような第一の封水式排水トラップに使用される。
図１及び図２に示した、以下に記載する第一の封水式排水トラップ配管は、以下に詳述する管トラップ２より構成される。
管トラップ２は、管体をＳ字形状に屈曲させた部材であり、上流側は洗面台などの排水機器Ｄの排水口３に接続された入口側管部４に、下流側は排水を下水側に排出する出口側管部５に、それぞれ接続されてなる。
【００１９】
上記のように構成された第一の封水式排水トラップは、以下のように使用される。
洗面台など、入口側管部４が接続されている排水機器Ｄの使用によって、排水口３から入口側管部４に排水が流れ込むと、排水は管トラップ２内部を通過し、出口側管部５から下水側に排出される。このとき、管トラップ２の屈曲によって管トラップ２内部に排水の溜まり部分ができる。この管トラップ２内に溜まった排水を封水と呼び、この封水によって管トラップ２内部が水封され、下水側からの臭気や害虫類が屋内側に進入することを防止することができる。
【００２０】
上記のような第一の封水式排水トラップにおいて、排水機器Ｄを長期間使用しない場合、排水機器Ｄの排水口３から、段落００１７に記載した、第一実施例の封水式排水トラップの蒸発防止剤１ａを投入する。
すると、蒸発防止剤１ａは比重が水より軽いことから管トラップ２の入口側管部４の封水水面Ｗに止まった状態となる。この状態から時間が経過すると、蒸発防止剤１ａ内のエーテル化合物が大気に触れて気化・蒸発し、エーテル化合物には溶けるが水に不溶なパラフィン・ワックスは封水に溶けることなく、エーテル化合物が失われたことで封水水面Ｗに析出し、図２に示したように水に溶解及び混合することなく、大気中に蒸発しない、比重が１よりも軽い蒸発防止膜１ａ’を形成して、入口側管部４に近い側の封水水面Ｗが直接大気に接するのを防止する。これによって、従来上流側（入口側管部４側）と下流側（出口側管５部）との両方の封水水面Ｗから蒸発していた封水が、下流側のみから蒸発することとなるため、封水の蒸発の効率が低下し、従来より遙かに長い期間、封水の蒸発による破封を防止することができる。更に付言すると、上記事例では、パラフィン・ワックスによる固体の蒸発防止膜１ａ’が管トラップ２内に形成されるため、この蒸発防止膜１ａ’に大きな応力が生じて破損しない限り、蒸発防止膜１ａ’が管トラップ２を閉塞して、下水側から屋内側への臭気また害虫類の侵入を防止するという、排水トラップの機能を維持することができる。
使用者が排水機器Ｄの長期未使用状態から使用状態へと復帰する場合は、排水機器Ｄの使用に先行して棒状の部材を排水口３からさしこみ、パラフィン・ワックスによる固体の蒸発防止膜１ａ’を細かく破壊した上で排水機器Ｄを使用すると、段落００１９に記載したように支障無く排水を行うことができる。この時、蒸発防止膜１ａ’の残滓は排水より軽いため、しばらくの間は排水に浮いた状態で管トラップ２の封水内に止まり続けるが、最終的には排水の流れによって出口側管部５から押し流され下水側に排出される。
また排水機器Ｄの使用者が再び長期間にわたって排水機器Ｄを使用しない状態となる場合は、再び排水機器Ｄの排水口３から本第一実施例の封水式排水トラップの蒸発防止剤１ａを投入することで、封水の蒸発の効率を低下させ、従来より遙かに長い期間、封水の蒸発による破封を防止することができる。
【００２１】
次に、本発明の第二実施例を、図面を参照しつつ説明する。
図３、図４に示したものは、本発明の第二実施例による、封水式排水トラップの破封防止用錠剤１の断面図また一部を切り欠きした斜視図であって、錠剤の中央部分に蒸発防止剤１ａを、その周囲を水溶性で且つ蒸発防止剤１ａに非溶性の膜素材１ｃで密封し、更にその周囲に発泡剤を混入した水溶性基材１ｂにて覆うことで構成してなる。
以下に各素材について詳述する。
蒸発防止剤１ａは常温常圧下で液体であり、水に溶解及び混合することなく分離する、大気中に蒸発しない、１よりも軽い比重を有した材料であって、この実施例では一般的な油素材である食用油（サラダ油）を使用している。
膜素材１ｃとしては、水溶性で且つ上述のように蒸発防止剤１ａに非溶性の素材であるオブラートからなる膜素材１ｃで密封してなる。
水溶性基材１ｂは、例えば入浴剤等に使用されている既知の水溶性の固体の薬剤を、ボタン型の錠剤形状に固めたものであって、この実施例では、更に水溶性基材１ｂに発泡剤を混入し、水中に投入すると激しく発泡し、内部に封入されている蒸発防止剤１ａを拡散しながら封水中に溶けるように構成している。尚、水溶性基材１ｂは比重が１よりも重い素材であり、破封防止用錠剤１は全体として比重が１よりも重くなっている。このため、封水中に投入しても、破封防止用錠剤１は蒸発防止剤１ａを封入したまま封水中に沈み、水溶性基材１ｂがある程度溶解して蒸発防止剤１ａが開放されて初めて、蒸発防止剤１ａが封水水面Ｗに向かって上昇する。
【００２２】
上記のように構成された封水式排水トラップの破封防止用錠剤１は、以下のような第二の封水式排水トラップに使用される。図５に示した、以下に記載する第二の封水式排水トラップ配管は、以下に詳述する管トラップ２より構成される。管トラップ２は、管体をＳ字形状に屈曲させた部材であり、上流側は洗面台などの排水機器Ｄの排水口３に接続された入口側管部４に、下流側は排水を下水側に排出する出口側管部５に、それぞれ接続されてなる。
【００２３】
上記のように構成された排水トラップは、以下のように使用される。洗面台など、入口側管部４が接続されている排水機器Ｄの使用によって、入口側管部４から排水が流れ込むと、排水は管トラップ２内部を通過し、出口側管部５から下水側に排出される。このとき、管トラップ２の屈曲によって管トラップ２内部に排水の溜まり部分ができる。この管トラップ２内に溜まった排水を封水と呼び、この封水によって管トラップ２内部が水封され、下水側からの臭気や害虫類が屋内側に進入することを防止することができる。
【００２４】
上記のような第二の封水式排水トラップにおいて、排水機器Ｄを長期間使用しない場合、排水機器Ｄの排水口３から段落００２１に記載した、本発明の封水式排水トラップの破封防止用錠剤１を投入する。
すると、図６に示したように全体としては比重が１よりも重い破封防止用錠剤１は封水式排水トラップの封水部７分の中で最も低い屈曲の最下端部分まで落下し、水溶性の水溶性基材１ｂ、膜素材１ｃが封水に溶解し、それらの内部に封入されていた食用油からなる蒸発防止剤１ａが封水中に開放される。
蒸発防止剤１ａは常温常圧下で液体であり、水に溶解及び混合することなく分離する、大気中に蒸発しない、１よりも軽い比重を有した食用油であるため、封水と混ざることなく図７に示したように封水水面Ｗ上に膜状に拡がり、そのまま、組成などが変化することなく、液状の蒸発防止膜１ａ’として機能する。特にこの実施例の破封防止用錠剤１では、水溶性の水溶性基材１ｂに発泡剤を混入してなるため、封水中に投入すると封水と反応して激しく発泡し、内部に封入されている蒸発防止剤１ａを図６中の矢印で示した方向等に沿って四方に拡散する。このため、蒸発防止剤１ａは、封水の、上流側、下流側両方の水面に拡散して（ここでは入口側管部４の側が上流、出口側管部５が下流となる）、蒸発防止膜１ａ’として封水の上流側、下流側両方の水面を均等に覆うことができる。
封水水面Ｗを覆った蒸発防止膜１ａ’は常温常圧下で液体であり、水に溶解及び混合することなく分離する、大気中に蒸発しない、１よりも軽い比重を有した材料である一般的な油素材である食用油（サラダ油）よりなるため、長期間に渡り封水水面Ｗに止まり、封水が大気に直接接することを防ぎ、封水が蒸発して封水水面Ｗの水位が降下して、管トラップ２内の水封が失われ、下水側からの臭気や害虫類が屋内側に進入することが可能となる破封が生じることを防止することができる。
使用者が、排水機器Ｄを長期未使用状態から使用状態へと復帰する場合は、従来通り排水機器Ｄを使用すると、段落００２３に記載したように支障無く排水を行うことができる。この時、水溶性基材１ｂ、膜素材１ｃが溶けた封水は排水に伴ってスムーズに出口側管部５から下水側に排出される。また、蒸発防止膜１ａ’は排水より軽いため、しばらくの間は排水に浮いた状態で管トラップ２の封水内に止まり続けるが、最終的には排水の流れによって出口側管部５から押し流され下水側に排出される。蒸発防止膜１ａ’が失われるため、排水機器Ｄの使用再開と共に破封防止の効果も失われるが、この場合は排水機器Ｄの使用再開により随時排水から封水が供給されるため、封水の蒸発による破封が生じることはない。
また排水機器Ｄの使用者が再び長期間にわたって排水機器Ｄを使用しない状態となる場合は、再び排水機器Ｄの排水口３から本実施例の封水式排水トラップの破封防止用錠剤１を投入することで封水の蒸発による破封を防止することができる。
【００２５】
また、蒸発防止膜１ａ’に特殊な有機溶媒等を使用すると、封水の蒸発を防ぐことはできても、長期間蒸発防止膜１ａ’に接することにより封水式排水トラップの素材が蒸発防止膜１ａ’の成分等により浸食され、材質劣化し破損する「ケミカルクラック」と呼ばれる現象が生じることがある。しかし、食用油（サラダ油）は日常的に使用され排水機器Ｄの排水口３から投入されて排水配管や排水トラップの内部を通過し、場合によっては内部に止まることが想定される物質であるため、排水トラップは食用油（サラダ油）に対して耐性を持つ素材で設計・製造されるものであり、上記実施例のように蒸発防止膜１ａ’（または蒸発防止剤１ａ）として食用油（サラダ油）を使用する場合には長期間排水トラップが蒸発防止膜１ａ’に接していても「ケミカルクラック」現象が生じることは無い。
【００２６】
次に、本発明の第三実施例を、図面を参照しつつ説明する。
図８、図９に示したものは本発明の第三実施例による、封水式排水トラップの破封防止用錠剤１の断面図また一部を切り欠きした斜視図であって、錠剤の中央部分に蒸発防止剤１ａを、その周囲を水溶性で且つ蒸発防止剤１ａに非溶性の膜素材１ｃで密封し、更にその周囲に発泡剤を混入した水溶性基材１ｂにて覆うことで構成してなる。
以下に各素材について詳述する。
蒸発防止剤１ａは常温常圧下で液体であり、水に溶解及び混合することなく分離する、大気中に蒸発しない、１よりも軽い比重を有した材料であって、この実施例では一般的な油素材である食用油（サラダ油）を使用している。
膜素材１ｃとしては、水溶性で且つ上述のように蒸発防止剤１ａに非溶性の素材であるオブラートから構成してなる。
水溶性基材１ｂは例えば入浴剤等に使用されている既知の水溶性の固体の薬剤を、外形を球形形状に固めたものであって、この実施例では、更に水溶性基材１ｂに発泡剤を混入して、水中に投入すると激しく発泡し、内部に封入されている蒸発防止剤１ａを拡散しながら封水中に溶ける。尚、水溶性基材は比重が１よりも重い素材であり、破封防止用錠剤１は全体として比重が１よりも重くなっている。このため、封水中に投入しても、破封防止用錠剤１は蒸発防止剤１ａを封入したまま封水中に沈み、水溶性基材１ｂがある程度溶解して蒸発防止剤１ａが開放されて初めて、蒸発防止剤１ａが封水水面Ｗに向かって上昇する。また、この実施例では水溶性基材１ｂの外形を球形形状に構成して、排水機器Ｄの排水口３から投入された破封防止用錠剤１が、排水口３から封水まで配管形状が多少複雑であっても支障無く排水用の勾配に従って落下し、排水トラップの封水までたどり着くように構成してなる。
【００２７】
上記のように構成された封水式排水トラップの破封防止用錠剤１は、以下のような第三の封水式排水トラップに使用される。
図１０に示した、以下に記載する第三の封水式排水トラップ配管は、以下に詳述するトラップ本体６及び防臭筒１０から構成される。
トラップ本体６は、有底円筒形状であって、上方に防水パンなどの排水機器Ｄの使用によって生じた排水が直接流れ込む排水口３を有し、更に後述する封水部７と、封水部７を溢れた排水が流れる通水路８と、通水路８の側面に設けた排出口９を備えてなる。
封水部７は有底円筒状で、上方に排水が流入し、また溢れ出る開口を設けてなる。
排出口９は前記トラップ本体６内の排水を下水側配管へ排出する出口側管部５に接続されてなり、内部はトラップ本体６内部の通水路８と連通してなる。
防臭筒１０は、上方、下方とも開放された円筒体であり、上方は前記トラップ本体６の排水口３に着脱自在且つ水密的に嵌合され、下端の開口は前記封水部７内に配置されてなる。
尚、このような封水式排水トラップを、段落００３０で説明する椀式排水トラップと封水を溜める部分の構造が上下逆転したような構造であることから、逆椀式排水トラップと呼ぶ。
【００２８】
上記のように構成された排水トラップは、以下のように使用される。
防水パンなど、排水口３が接続されている排水機器Ｄの使用によって、排水口３から排水が流れ込むと、排水は排水口３から防臭筒１０内部及び封水部７内を通過し、数水部７上縁を超えて、通水路８から排出口９、出口側管部５を経て下水側に排出される。このとき、封水部７内部に排水の溜まり部分ができる。この封水部内に溜まった排水を封水と呼び、この封水によって封水式排水トラップ内部が水封され、下水側からの臭気や害虫類が屋内側に進入することを防止することができる。
【００２９】
上記のような第三の封水式排水トラップにおいて、排水機器Ｄを長期間使用しない場合、封水式排水トラップの排水口３から、段落００２６に記載したような本発明の第三実施例の封水式排水トラップの破封防止用錠剤１を投入する。
すると、図１１に示したように全体としては比重が１よりも重い破封防止用錠剤１は封水式排水トラップの封水部分の中で最も低い封水部７の底面上に落下し、水溶性の水溶性基材１ｂ、膜素材１ｃが封水に溶解し、それらの内部に封入されていた食用油からなる蒸発防止剤１ａが封水中に開放される。蒸発防止剤１ａは常温常圧下で液体であり、水に溶解及び混合することなく分離する、大気中に蒸発しない、１よりも軽い比重を有した食用油（サラダ油）であるため、封水と混ざることなく図１２に示したように封水水面Ｗ上に膜状に拡がり、液状の蒸発防止膜１ａ’として機能する。特にこの実施例の破封防止用錠剤１では、水溶性の水溶性基材１ｂに発泡剤を混入してなるため、封水中に投入すると封水と反応して激しく発泡し、内部に封入されている蒸発防止剤１ａを図１１中の矢印で示した方向等に沿って四方に拡散する。更にこの実施例では、破封防止用錠剤１の外形を球形形状に構成しているため、水溶性基材１ｂが崩れて形状を失うまで、発泡による蒸発防止剤１ａの四散のみならず、球形形状の破封防止用錠剤１自体が発泡の際の泡の勢いによって封水内をまんべんなく転がり、蒸発防止剤１ａが上流側の封水水面Ｗのみではなく、下流側の封水水面Ｗにも広がり、封水の蒸発防止効果を高めることができる。このため、蒸発防止剤１ａは、封水の、上流側、下流側両方の水面に拡散して（ここでは防臭筒１０の内側が上流、通水路８に繋がる防臭筒１０の外側が下流となる）、図１２に示したように封水の上流側、下流側両方の水面を均等に覆う蒸発防止膜１ａ’を形成することができる。
封水水面Ｗを覆った蒸発防止膜１ａ’は常温常圧下で液体であり、水に溶解及び混合することなく分離する、大気中に蒸発しない、１よりも軽い比重を有した材料である一般的な油素材である食用油（サラダ油）よりなるため、長期間に渡り封水水面Ｗに止まり、封水が直接大気に接することを防ぐため、封水が蒸発して封水の水位が降下し、封水部７内の水封が失われ、下水側からの臭気や害虫類が屋内側に進入することが可能となる破封が生じることを防止することができる。
使用者が、排水機器Ｄを長期未使用状態から使用状態へと復帰する場合は、従来通り排水機器Ｄを使用すると、段落００２８に記載したように支障無く排水を行うことができる。この時、水溶性基材１ｂ、膜素材１ｃが溶けた封水は排水に伴ってスムーズに封水部７の防臭筒１０外側の開口から排出口９、出口側管部５を介して下水側に排出される。また、蒸発防止膜１ａ’は排水より軽いため、しばらくの間は排水に浮いた状態で封水部７内の封水内に止まり続けるが、最終的には排水の流れによって封水部７の防臭筒１０外側の開口から排出口９、出口側管部５を介して下水側に排出される。このため、排水機器Ｄの使用再開と共に破封防止の効果も失われるが、この場合は排水機器Ｄの使用再開により随時排水から封水が供給されるため、封水の蒸発による破封が生じることはない。
また排水機器Ｄの使用者が再び長期間にわたって排水機器Ｄを使用しない状態となる場合は、再び排水機器Ｄの排水口３から本実施例の封水式排水トラップの破封防止用錠剤１を投入することで封水の蒸発による破封を防止することができる。
また、蒸発防止膜１ａ’は食用油（サラダ油）であるため、段落００２５に記載した「ケミカルクラック」現象を防ぐ効果も当然に有する。
【００３０】
次に、以下に記載する第四の封水式排水トラップ配管に、本発明の第三実施例の封水式排水トラップの破封防止用錠剤１を使用する場合について説明する。
図１３に示した、以下に記載する第四の封水式排水トラップ配管は、以下に詳述するトラップ本体６及び防臭椀１２から構成される。
トラップ本体６は、有底円筒形状であって、上方に流し台などの排水機器Ｄの使用によって生じた排水が直接流れ込む排水口３を、底面に排水を排出する排出口９を、更に排出口９周縁から上方に向かって防臭筒部１１を、それぞれ備えてなる。
防臭椀１２は有底円筒状で、下方が開口した状態で、トラップ本体６内部に、防臭筒部１１上端を内部に包み、且つ防臭筒部１１上端に隙間を有するようにして配置固定される。
排出口９は前記トラップ本体６内の排水を下水側配管へ排出する出口側管部５に接続されてなる。
尚、このような封水式排水トラップを、防臭椀１２を備えることから、椀式排水トラップと呼ぶ。
【００３１】
上記のように構成された排水トラップは、以下のように使用される。
流し台など、排水口３が接続されている排水機器Ｄの使用によって、排水口３から排水が流れ込むと、排水は排水口３からトラップ本体６内部に溜まり、防臭椀１２下端を通過して防臭椀１２の内部から防臭筒部１１上縁を超えて排出口９に至り、更に出口側管部５を経て下水側に排出される。このとき、トラップ本体６内部の底部分に、防臭筒部１１の上縁まで排水の溜まり部分ができる。このトラップ本体６内部に溜まった排水を封水と呼び、この封水によって封水式排水トラップ内部が水封され、下水側からの臭気や害虫類が屋内側に進入することを防止することができる。
【００３２】
上記のような第四の封水式排水トラップにおいて、排水機器Ｄを長期間使用しない場合、封水式排水トラップの排水口３から、段落００２６に記載したような本発明の第三実施例の封水式排水トラップの破封防止用錠剤１を投入する。
すると、図１４に示したように全体としては比重が１よりも重い破封防止用錠剤１は封水式排水トラップの封水部分の中で最も低いトラップ本体６の底面上に落下し、水溶性の水溶性基材１ｂ、膜素材１ｃが封水に溶解し、それらの内部に封入されていた食用油（サラダ油）からなる蒸発防止剤１ａが封水中に開放される。
蒸発防止剤１ａは常温常圧下で液体であり、水に溶解及び混合することなく分離する、大気中に蒸発しない、１よりも軽い比重を有した食用油（サラダ油）であるため、封水と混ざることなく図１５に示したように封水水面Ｗ上に膜状に拡がり、液状の蒸発防止膜１ａ’として機能する。
特にこの実施例の破封防止用錠剤１では、水溶性の水溶性基材１ｂに発泡剤を混入してなるため、封水中に投入すると封水と反応して激しく発泡し、内部に封入されている蒸発防止剤１ａを図１４中の矢印で示した方向等に沿って四方に拡散する。更にこの実施例では、破封防止用錠剤１の外形を球形形状に構成しているため、水溶性基材１ｂが崩れて形状を失うまで、発泡による蒸発防止剤１ａの四散のみならず、球形形状の破封防止用錠剤１自体が発泡の際の泡の勢いによって封水内をまんべんなく転がり、蒸発防止剤１ａが上流側の封水水面のみではなく、下流側の封水水面Ｗにも広がり、封水の蒸発防止効果を高めることができる。このため、蒸発防止剤１ａは、封水の、上流側、下流側両方の水面に拡散して（ここではトラップ本体６内面から防臭椀１２外面の間が上流、防臭椀１２内面から防臭筒部１１外面の間が下流となる）、図１５に示したように封水の上流側、下流側両方の水面を均等に覆う蒸発防止膜１ａ’を形成することができる。
封水水面Ｗを覆った蒸発防止膜１ａ’は常温常圧下で液体であり、水に溶解及び混合することなく分離する、大気中に蒸発しない、１よりも軽い比重を有した材料である一般的な油素材である食用油（サラダ油）よりなるため、長期間に渡り封水水面Ｗに止まり、封水が直接大気に接することを防ぎ、封水が蒸発して封水の水位が降下し、封水式排水トラップ内の水封が失われ、下水側からの臭気や害虫類が屋内側に進入することが可能となる破封が生じることを防止することができる。
使用者が排水機器Ｄの長期未使用状態から使用状態へと復帰する場合は、従来通り排水機器Ｄを使用すると、段落００３１に記載したように支障無く排水を行うことができる。
この時、水溶性基材１ｂ、膜素材１ｃが溶けた封水は排水に伴ってスムーズに防臭筒部１１から排出口９、出口側管部５を介して下水側に排出される。また、蒸発防止膜１ａ’は排水より軽いため、しばらくの間は排水に浮いた状態でトラップ本体６内の封水内に止まり続けるが、最終的には排水の流れによってトラップ本体６内部と防臭椀１２の間の開口から防臭筒部１１、出口側管部５を介して下水側に排出される。このため、排水機器Ｄの使用再開と共に破封防止の効果も失われるが、この場合は排水機器Ｄの使用再開により随時排水から封水が供給されるため、封水の蒸発による破封が生じることはない。
また排水機器Ｄの使用者が再び長期間にわたって排水機器Ｄを使用しない状態となる場合は、再び排水機器Ｄの排水口３から本実施例の封水式排水トラップの破封防止用錠剤１を投入することで封水の蒸発による破封を防止することができる。
また、蒸発防止膜１ａ’は食用油（サラダ油）であるため、段落００２５に記載した「ケミカルクラック」現象を防ぐ効果も当然に有する。
【００３３】
本発明の実施例は以上のようであるが本発明は上記実施例に限定される物ではなく、主旨を変更しない範囲において自由に変更が可能である。例えば使用される封水式排水トラップは、上記管トラップ、逆椀トラップ、椀トラップに限定されるものではなく、封水によって臭気や害虫類の屋内への進入を防止する封水式排水トラップであれば、特に使用される排水トラップが特定の構成に限定されるものではない。
また、上記実施例の封水式排水トラップの破封防止用錠剤１では、蒸発防止膜１ａ’をパラフィン・ワックスや食用油（サラダ油）にて構成してなるが、本発明では上記実施例に限定されることなく、パラフィン・ワックスや食用油（サラダ油）以外の薬剤であっても、水に溶解及び混合することなく、大気中に蒸発しない、１よりも軽い比重を有した素材であれば、蒸発防止膜１ａ’として使用できる。但しこの場合では、常に蒸発防止膜１ａ’と封水式排水トラップの構成素材との相性を考慮する必要があり、蒸発防止膜１ａ’を食用油（サラダ油）のような通常排水口３から投入されるような素材にて構成した方が良好な結果を得ることができる。
また、上記実施例の封水式排水トラップの破封防止用錠剤１では、蒸発防止剤１ａを封入する水溶性の水溶性基材１ｂに発泡剤を混入してなるが、本発明では上記実施例に限定されることなく、発泡剤を混入しない水溶性基材１ｂを用いて破封防止用錠剤１を構成しても良い。但しこの場合では、錠剤を投入した排水口３側に近い封水部７の水面の下方に破封防止用錠剤１が止まり、そのまま蒸発防止剤１ａが排水口３側の封水水面Ｗに集中して、下流側の封水水面Ｗにほとんど生じない場合が生じる。この場合、封水は下流側の封水水面Ｗから蒸発してしまい、破封の発生を遅らせることはできても、最終的には破封を生じる恐れがあるため、上記実施例のように水溶性基材１ｂに発泡剤を混入して蒸発防止剤１ａが拡散するようにした方が良好な結果を得ることができる。
【符号の説明】
【００３４】
１      破封防止用錠剤            １ａ    蒸発防止剤
１ａ’  蒸発防止膜                １ｂ    水溶性基材
１ｃ    膜素材                    ２      管トラップ
３      排水口                    ４      入口側管部
５      出口側管部                ６      トラップ本体
７      封水部                    ８      通水路
９      排出口                    １０    防臭筒
１１    防臭筒部                  １２    防臭椀
Ｂ      弁またはカップリング      Ｄ      排水機器
Ｗ      封水水面                  ＷＨ    補給水槽の水面
【図１】
2010248399.tif 000003
【図２】
2010248399.tif 000004
【図３】
2010248399.tif 000005
【図４】
2010248399.tif 000006
【図５】
2010248399.tif 000007
【図６】
2010248399.tif 000008
【図７】
2010248399.tif 000009
【図８】
2010248399.tif 000010
【図９】
2010248399.tif 000011
【図１０】
2010248399.tif 000012
【図１１】
2010248399.tif 000013
【図１２】
2010248399.tif 000014
【図１３】
2010248399.tif 000015
【図１４】
2010248399.tif 000016
【図１５】
2010248399.tif 000017
【図１６】
2010248399.tif 000018
【図１７】
2010248399.tif 000019